【手続補正書】
【提出日】平成30年4月27日(2018.4.27)
【手続補正１】
【補正対象書類名】明細書
【補正対象項目名】００５２
【補正方法】変更
【補正の内容】
【００５２】
一般に、スイートスポットを大きくするために、クラブヘッドの重心はクラブヘッドの底およびバックへと移動される。これにより、平均的なゴルファはボールを虚空に高く、速く打ち上げ、ボールを遠くへ飛ばすことができる。さらに、クラブヘッドの慣性モーメントを大きくして、中心から外れた打撃に伴う距離および精度のペナルティを最小化する。クラブヘッドの全体重量を増大させることなしに重量を下方および後方に移動させるために、材料すなわち質量を一般にクラブヘッドの一領域から取って他に移す。材料を、薄いクラブフェースをなしてクラブのフェースから取り、またクラウンおよび／またはソールから取りクラブのバックに配置できる。
【手続補正２】
【補正対象書類名】明細書
【補正対象項目名】００９９
【補正方法】変更
【補正の内容】
【００９９】
重み付けされたインサート３０８は、ゴルフクラブヘッド３５０中に当該重み付けされたインサート３０８をロックするように構成されたインサートロック部材３１９を含んで良い。インサートロック部材３１９はヘッドロック部材３３０と係合するように構成して良い。インサートロック部材３１９は、図４６に示すように、インサートロック機構３４２を含んで良い。ヘッドロック部材３３０は図４７および図４８に示すようなヘッドロック機構３３２を含んで良い。インサートロック機構３４２およびヘッドロック機構３３２は、インサートロック部材３１９をヘッドロック部材３３０に対して回転させることにより、重み付けされたインサートをゴルフクラブヘッド３５０のキャビティ３０６内にロックするように構成されて良い。好ましい実施例において、図４４〜図４８に示すように、ヘッドロック部材３３０およびインサートロック部材３１９は、インサートロック部材３１９の１８０度未満の回転で、重み付けされたインサート３０８をロックするように構成されている。より好ましい実施例において、ヘッドロック部材３３０およびインサートロック部材３１９は、１３５度未満の回転で、重み付けされたインサート３０８をロックするように構成されている。より好ましい実施例において、ヘッドロック部材３３０およびインサートロック部材３１９は、９０度未満の回転で、重み付けされたインサート３０８をロックするように構成されている。いくつかの実施例において、図４５および図４６に示すように、インサートロック部材３１９は、重み付けされたインサート３０８の端部に当接して、これをキャビティ３０６の終端の方向に押圧する。いくつかの実施例において、図３８に示されるキャップ２１９と同様に、これは重み付けされたインサート３０８の各端部と取り外し可能に係合されて良い。他の実施例において、インサートロック部材３１９は重み付けされたインサート３０８に固着されて良い。いくつかの実施例において、インサートロック部材３１９は重み付けされたインサート３０８と一体に形成されて良い。いくつかの実施例において、重み付けされたインサートは、当該重み付けされたインサート３０８の端部の双方にインサートロック部材３１９を含んで良い。
【手続補正３】
【補正対象書類名】明細書
【補正対象項目名】０１００
【補正方法】変更
【補正の内容】
【０１００】
図４４、図４７、および図４８に示すように、ヘッドロック部材３３０のヘッドロック機構３３２は、重み付けされたインサート３０８の長さ方向軸に対して角度づけられた少なくとも１つのスロット３３４を含み、この長手方向軸は、重み付けされたインサート３０８の中心を通り抜けて、その長さ方向に伸びる。インサートロック部材３１９は図４６に示すようにスロット３３４内を往復動するように構成された少なくとも１つの突起を含む。インサートロック部材３１９は、ツールと相互作用してユーザがインサートロック部材３１９にトルクを加えることができるように構成されたツール係合機構３０９を含んでも良い。インサートロック部材３１９がヘッドロック部材３３０に対して回転させられるときに、突起がスロット３３４に沿ってスライドして、インサートロック部材３１９を押圧して終端部材３２０の方向に長さ方向に移動させ、重み付けされたインサート３０８をキャビティ３０６の終端３１２の方向に押圧する。さらに、バネ３６０がキャビティ３０６内に含まれて良い。バネ３６０は図４５に示すようにキャビティ３０６の終端３１２の近くに位置決めされて良い。他の実施例において、バネ３６０はキャビティ３０６の解放側３１１に位置決めされて良い。いくつかの実施例において、バネ３６０はインサートロック部材３１９の中に位置決めされて良い。他の実施例において、バネ３６０はキャップ内に位置決めされて良い。バネ３６０は、インサートロック部材３１９が重み付けされたインサート３０８をキャビティ３０６の終端３１２の方向に押圧するときに、圧縮されて良い。ヘッドロック機構３３２は重み付けされたインサート３０８をキャビティ３０６内にロックするロック位置を含んで良い。図４７および図４８に示すように、スロット３３４は戻り止め３３６を含んでよく、もって、インサートロック部材３１９の目一杯の回転によって、インサートロック部材３１９が、重み付けされたインサート３０８に沿ってキャビティ３０６の終端３１２から離れるように、バネ３６０によって、少ない距離だけ、押圧され、インサートロック機構３４２の突起をヘッドロック部材３３０のスロット３３４の戻り止め３３６にロックする。別の観点から戻り止め３３６を説明する。スロット３３４は湾曲点を具備し、もって、インサートロック部材３１９が回転すると、当初はインサートロック部材３１９をキャビティ３０６の終端３１２の方向に押圧するけれども、一旦、インサートロック機構３４２がスロット３３４の湾曲点を通過すると、インサートロック部材３１９はキャビティ３０６の終端３１２から離れるように押圧される。インサートロック部材はバネ３６０によってロック位置に保持され、このバネ３６０がインサートロック機構３４２をスロット３３４の戻り止め３３６に押し込み、インサートロック部材３１９の回転を阻止し、もってウエイトインサート３０８の移動を阻止する。いくつかの実施例において、バネ３６０の例は、コイルバネ、波ワッシャーバネ、円錐ワッシャーバネ、ゴムバネ、エラストマーバネ、並びにこれらの組み合わせ等を含んで良い。
【手続補正４】
【補正対象書類名】明細書
【補正対象項目名】０１１８
【補正方法】変更
【補正の内容】
【０１１８】
ここで説明され、図示されたインサートロック機構は、全般的には、重み付けされたインサートの端部から離れている。いくつかの実施例において、図示しないけれども、インサートロック機構は重み付けされたインサートの単所の直近に位置決めされて良い。さらに、ここで説明され、図示され、図示されたヘッドロック機構のスロットは、全般的には、インサートロック部材をゴルフクラブヘッドに対して回転させることにより、重み付けされたインサートをゴルフクラブヘッドにきつくロックすることを可能にする。いくつかの実施例において、図示しないけれども、重み付けされたインサートのロックまたはロック解除は、インサートロック部材の回転のみでなく、ツールを用いてインサートロック部材に対して、重み付けされたインサートの長さ方向軸に沿って力を加えて実現して良い。さらに、ここで説明され、図示された重み付けされたインサートは全般的には重量端部および軽量端部を具備し、もって重心が寸法中心からずれるようになっている。付加的な実施例において、重み付けされたインサートはずれた重心を有しなくてよい。重み付けされたインサートは、例えば、２つの重量端部または２つの軽量端部を有して良い。付加的な実施例において、ここで説明され、図示されたインサートロック部材はシールを含んで、もって、キャビティおよび／またはゴルフクラブヘッドに流体や粒子が入ってきたり、出て行ったりするのを阻止して良い。